(57)【要約】【課題】ねじを強く締め付けることを可能として接地用ジャンパ線とケース本体との電気的接続を確実にし、かつ回路基板とケース本体との機械的固定強度を高めることができる放電灯点灯装置を提供する。【解決手段】電子式点灯回路が実装された回路基板１には、両端部が回路基板１を貫通した接地用ジャンパ線２が実装される。また、回路基板１が収納されるケースを構成するケース本体３において回路基板１の接地用ジャンパ線２の両端が突出した部位に対向する位置には、中間部が回路基板１に近付く方向に突出した帯状のブリッジ部３３が設けられる。回路基板１を貫通しブリッジ部３３に螺合するねじ４の頭部４１と回路基板１との間に接地用ジャンパ線２が挟まれることにより、接地用ジャンパ線２とブリッジ部３３との電気的接続が達成される。接地用ジャンパ線２は、ブリッジ部３３と交差する方向に延び、かつ両端部がブリッジ部３３の両側に位置する。【選択図】　　　　図１
2004022310.tif 000002
【特許請求の範囲】
【請求項１】
放電灯を点灯させる電子式点灯回路を構成する回路部品が実装された矩形状の回路基板と、前記回路基板の表裏の一面に対向する矩形状の底板と前記底板の両側縁から互いに同じ側へ立設され前記回路基板を挟んで対向する一対の側板とからなる金属製のケース本体と、前記ケース本体に結合して前記回路基板を覆う金属製のケース蓋とを備え、前記ケース本体において底板には中間部が前記回路基板に近付く方向に曲がった帯状であって前記回路基板を貫通したねじが螺合するブリッジ部が形成され、前記ねじの頭部と前記回路基板との間に挟まれることにより前記ねじを介して前記ブリッジ部と電気的に接続され両端部が前記回路基板を貫通する形で回路基板に実装された接地用ジャンパ線が設けられ、前記接地用ジャンパ線は前記ブリッジ部と交差する方向に延びかつ両端部が前記ブリッジ部の両側に位置することを特徴とする放電灯点灯装置。
【請求項２】
前記回路基板は長方形状であって、前記ブリッジ部は前記回路基板の長手方向に沿って形成され、前記接地用ジャンパ線は前記回路基板の短手方向に沿って延びていることを特徴とする請求項１記載の放電灯点灯装置。
【請求項３】
前記ケース本体の前記側板には、前記回路基板を支持する支持突起と、前記支持突起との間に前記回路基板を挟む押さえ突起と、前記回路基板の長手方向の各一端に当接する複数の規制突起とがそれぞれ前記側板において前記回路基板の四隅いずれかの近傍部位に突設されていて、前記支持突起と前記ブリッジ部とは底板からの高さ寸法が同程度に形成されていることを特徴とする請求項１記載の放電灯点灯装置。
【請求項４】
前記回路部品のうちの発熱部品に装着され前記回路基板における前記底板とは反対面に位置し前記ケース本体の側板に接触する放熱板を備え、前記ケース蓋には前記放熱板において前記底板から離れた側の端に当接する放熱板押さえ突起が突設されていることを特徴とする請求項１記載の放電灯点灯装置。
【請求項５】
前記ケース本体および前記ケース蓋と前記回路基板との間を絶縁する絶縁板を備え、前記ケース蓋は前記回路基板を挟んで前記ケース本体の前記底板の反対側に位置する蓋部と前記蓋部から突設され前記ケース本体の一対の前記側板を外側から挟む一対の挟み板とからなり、前記蓋部には前記ケース本体の前記側板の先端に当接する落ち込み防止凸部が突設され、前記絶縁板は前記ケース本体の前記底板と前記回路基板との間に位置する底部と、前記底部の短手方向の一端から前記ケース本体の一方の前記側板に沿って延びた第１の側部と、前記底部の短手方向の他端から前記ケース本体の他方の前記側板に沿って延び前記回路基板を前記底部との間に挟むように曲げられ前記第１の側部に接触する第２の側部とが一体形成され、前記絶縁板が前記回路基板を囲んだ状態において前記第２の側部の先部と前記第１の側部の先部とが重なる程度に前記第２の側部の前記底部からの長さ寸法は形成されていることを特徴とする請求項１記載の放電灯点灯装置。
【請求項６】
前記ケース本体および前記ケース蓋と前記回路基板との間を絶縁する絶縁板を備え、前記ケース蓋は前記回路基板を挟んで前記ケース本体の前記底板の反対側に位置する蓋部と前記蓋部から突設され前記ケース本体の一対の前記側板を外側から挟む一対の挟み板とからなり、前記蓋部には前記ケース本体の前記側板の先端の一部に当接する落ち込み防止凸部が突設され、前記絶縁板は前記ケース本体の前記底板と前記回路基板との間に位置する底部と、前記底部の短手方向の一端から前記ケース本体の一方の前記側板に沿って延びた第１の側部と、前記底部の短手方向の他端から前記ケース本体の他方の前記側板に沿って延び前記回路基板を前記底部との間に挟むように曲げられ前記第１の側部に接触する第２の側部とが一体形成され、第２の側部の底部に近い側において落ち込み防止凸部に対応する位置には突起避け孔が設けられ、第２の側部の底部から離れた側において落ち込み防止凸部に対応する位置には突起避け切り欠きが設けられていることを特徴とする請求項１記載の放電灯点灯装置。
【発明の詳細な説明】
【０００１】
【発明の属する技術分野】
本発明は、放電灯点灯装置に関するものである。
【０００２】
【従来の技術】
近年、種々の電子機器が発売されており、その内部回路はより多くの処理を高速で行えるようになってきた。このため動作周波数は高くなり、機器で発生する高周波ノイズはレベルが高く周波数幅も広いものとなっている。また、回路としてはＩＣ化が推し進められ、より少ない電流で動作させるようになり、ノイズによって誤動作を起こしやすくなっている。そこで放電灯点灯装置のようなノイズを出す機器とノイズを受ける機器とが共存していくために、機器間における電磁環境適合性の考えが重要となっている。
【０００３】
従来、電気用品取締法に定められた限度値に対して、水準を満足するように電源と回路との間にＬＣフィルタを入れてノイズを抑制してきた。また、ＬＣフィルタのみでは限度値を超えてしまうものに関しては、コンデンサを介して回路基板と回路基板を収納するケースとを電気的に接続していた。
【０００４】
近年はＣＩＳＰＲ適合への対応も不可欠であるため、よりノイズを抑制する必要があり、ほとんどの回路においてＬＣフィルタだけでなく、回路基板とケースとをコンデンサを介して電気的に接続する構成をとり、コモンモードノイズをアースへバイパスさせている。
【０００５】
従来、金属製のケースに回路基板が収納された放電灯点灯装置において、コンデンサとケースとを電気的に接続する手段として、コンデンサに電気的に接続された接地用ジャンパ線を回路基板に設け、回路基板を貫通しケースに螺合するねじの頭部と回路基板との間に接地用ジャンパ線を挟むことによって回路基板とケースとを電気的に接続する技術が知られている。例えば、図１７に示すように一方向に長い矩形状の回路基板１を用いる。回路基板１にはＣ−Ｃアース用の２個のコンデンサが実装される。両コンデンサは直列接続され、両コンデンサの直列回路の両端が電源ラインに接続されるとともに両コンデンサの接続点が接地用ジャンパ線２に接続される。また、回路基板１には表裏の一方の面において回路基板１の長手方向に沿って延び両端が回路基板１を貫通した接地用ジャンパ線２を２本並設し、回路基板１において接地用ジャンパ線２に挟まれた位置にはねじ挿通孔１１を設ける。また、回路基板１において接地用ジャンパ線２の両端が突出した側の面に対向する矩形状の底板３１と底板３１の短手方向の両端から底板３１の表裏の一面側にそれぞれ突設され互いに対向して前記回路基板１を挟む一対の側板３２とからなり図示しないケース蓋とともにケースを構成するケース本体３を用いる。ケース本体３には、ねじ孔３３ａが設けられ接地用ジャンパ線２の両端に挟まれた位置において回路基板１に接する接続片３３ｂと、それぞれ底板３１から回路基板１に近づく方向に曲げられ接地用ジャンパ線２の端に近い側の接続片３３ｂの各一端に連続した支持片３３ｃとからなる帯状のブリッジ部３３をプレス成型によって設ける。回路基板１のねじ挿通孔１１を貫通しブリッジ部３３のねじ孔３３ａに螺合するねじ４（図１８参照）を設け、ねじ４の頭部４１と回路基板１との間に接地用ジャンパ線２を挟むことによってブリッジ部３３と接地用ジャンパ線２とを電気的に接続する。ここで、接地用ジャンパ線２の長さ寸法はブリッジ部３３と同程度に形成されている。
【０００６】
【発明が解決しようとする課題】
しかし、上記従来構成においてねじ４を強く締め付けると、接地用ジャンパ線２の両端部（いわゆるクリンチ部）がブリッジ部３３に当たることにより、回路基板１は、ケース本体３に近付く方向の力をねじ４から受ける部位の両側において、ケース本体３から離れる方向の力を接地用ジャンパ線２から受けるから、回路基板１が反り、場合によっては割れることがあった。したがって、ねじ４を強く締め付けることができず、接地用ジャンパ線２とケース本体３との電気的接続や回路基板１とケース本体３との機械的固定が不十分になることがあった。
【０００７】
回路基板１の反りや割れを防ぐためには、接地用ジャンパー線２の両端がブリッジ部３３に当接しないようにブリッジ部３３の接続片３３ｂの長さ寸法を小さくする方法が考えられる。しかし、接続片３３ｂの長さ寸法を小さくすると、単位長さあたりの伸長率が大きくなるために、図１９に波形の線で示すように接続片３３ｂと支持片３３ｃとの間において曲げられる部分が成形時に割れる可能性があるから、この構成は採用できない。
【０００８】
本発明は上記事由に鑑みてなされたものであり、その目的は、ねじを強く締め付けることを可能として接地用ジャンパ線とケース本体との電気的接続を確実にし、かつ回路基板とケース本体との機械的固定強度を高めることができる放電灯点灯装置を提供することにある。
【０００９】
【課題を解決するための手段】
請求項１の発明は、放電灯を点灯させる電子式点灯回路を構成する回路部品が実装された矩形状の回路基板と、前記回路基板の表裏の一面に対向する矩形状の底板と前記底板の両側縁から互いに同じ側へ立設され前記回路基板を挟んで対向する一対の側板とからなる金属製のケース本体と、前記ケース本体に結合して前記回路基板を覆う金属製のケース蓋とを備え、前記ケース本体において底板には中間部が前記回路基板に近付く方向に曲がった帯状であって前記回路基板を貫通したねじが螺合するブリッジ部が形成され、前記ねじの頭部と前記回路基板との間に挟まれることにより前記ねじを介して前記ブリッジ部と電気的に接続され両端部が前記回路基板を貫通する形で回路基板に実装された接地用ジャンパ線が設けられ、前記接地用ジャンパ線は前記ブリッジ部と交差する方向に延びかつ両端部が前記ブリッジ部の両側に位置することを特徴とする。
【００１０】
請求項２の発明は、請求項１記載の発明において、前記回路基板は長方形状であって、前記ブリッジ部は前記回路基板の長手方向に沿って形成され、前記接地用ジャンパ線は前記回路基板の短手方向に沿って延びていることを特徴とする。
【００１１】
請求項３の発明は、請求項１記載の発明において、前記ケース本体の前記側板には、前記回路基板を支持する支持突起と、前記支持突起との間に前記回路基板を挟む押さえ突起と、前記回路基板の長手方向の各一端に当接する複数の規制突起とがそれぞれ前記側板において前記回路基板の四隅いずれかの近傍部位に突設されていて、前記支持突起と前記ブリッジ部とは底板からの高さ寸法が同程度に形成されていることを特徴とする。
【００１２】
請求項４の発明は、請求項１記載の発明において、前記回路部品のうちの発熱部品に装着され前記回路基板における前記底板とは反対面に位置し前記ケース本体の側板に接触する放熱板を備え、前記ケース蓋には前記放熱板において前記底板から離れた側の端に当接する放熱板押さえ突起が突設されていることを特徴とする請求項１記載の放電灯点灯装置。
【００１３】
請求項５の発明は、請求項１記載の発明において、前記ケース本体および前記ケース蓋と前記回路基板との間を絶縁する絶縁板を備え、前記ケース蓋は前記回路基板を挟んで前記ケース本体の前記底板の反対側に位置する蓋部と前記蓋部から突設され前記ケース本体の一対の前記側板を外側から挟む一対の挟み板とからなり、前記蓋部には前記ケース本体の前記側板の先端に当接する落ち込み防止凸部が突設され、前記絶縁板は前記ケース本体の前記底板と前記回路基板との間に位置する底部と、前記底部の短手方向の一端から前記ケース本体の一方の前記側板に沿って延びた第１の側部と、前記底部の短手方向の他端から前記ケース本体の他方の前記側板に沿って延び前記回路基板を前記底部との間に挟むように曲げられ前記第１の側部に接触する第２の側部とが一体形成され、前記絶縁板が前記回路基板を囲んだ状態において前記第２の側部の先部と前記第１の側部の先部とが重なる程度に前記第２の側部の前記底部からの長さ寸法は形成されていることを特徴とする。
【００１４】
請求項６の発明は、請求項１記載の発明において、前記ケース本体および前記ケース蓋と前記回路基板との間を絶縁する絶縁板を備え、前記ケース蓋は前記回路基板を挟んで前記ケース本体の前記底板の反対側に位置する蓋部と前記蓋部から突設され前記ケース本体の一対の前記側板を外側から挟む一対の挟み板とからなり、前記蓋部には前記ケース本体の前記側板の先端の一部に当接する落ち込み防止凸部が突設され、前記絶縁板は前記ケース本体の前記底板と前記回路基板との間に位置する底部と、前記底部の短手方向の一端から前記ケース本体の一方の前記側板に沿って延びた第１の側部と、前記底部の短手方向の他端から前記ケース本体の他方の前記側板に沿って延び前記回路基板を前記底部との間に挟むように曲げられ前記第１の側部に接触する第２の側部とが一体形成され、第２の側部の底部に近い側において落ち込み防止凸部に対応する位置には突起避け孔が設けられ、第２の側部の底部から離れた側において落ち込み防止凸部に対応する位置には突起避け切り欠きが設けられていることを特徴とする。
【００１５】
【発明の実施の形態】
以下、本発明の実施の形態を図面に基づいて説明する。
【００１６】
（実施形態１）
本実施形態における放電灯点灯装置は、長方形状のプリント基板である回路基板１（図２参照）と、板金からなり長方形状の底板３１と底板３１の短手方向における両端から立設された側板３２とからなるケース本体３（図３参照）と、板金からなりケース本体３に結合してケース本体３とともに回路基板１を収納するケースを構成するケース蓋５（図４参照）と、回路基板１を囲み回路基板１とケース本体３およびケース蓋５とを絶縁する絶縁板６（図１２参照）とからなる。ここで、ケース本体３において底板３１の短手方向の寸法は回路基板１の短手方向の寸法と同程度であって、長手方向の寸法は回路基板１の長手方向の寸法よりも大きい。
【００１７】
回路基板１に実装される電子式点灯回路としては、商用電源などの交流電源の出力電圧を整流する整流回路と、整流回路の出力端間に直列接続されるとともに交互にオンオフされる一対のスイッチング素子と、スイッチング素子のオンオフにより整流回路の出力電圧を平滑する平滑回路と、両スイッチング素子のオンオフに応じてインダクタ及びコンデンサの共振により高周波の出力を得る出力回路とを備えたインバータを用いている。また、回路基板１には、整流回路の入力側においてＣ−Ｃアース用の２個のコンデンサが実装されている。両コンデンサは直列接続され、両コンデンサの直列回路の両端が電源ラインに接続される。回路基板１の四隅のうちの１つの近くには、それぞれ表裏の一面側において短手方向に沿って延び両端が回路基板１の他面側に突出した２本の接地用ジャンパ線２が並設されている。各接地用ジャンパ線２は、それぞれ絶縁被覆されておらず、上述したＣ−Ｃアース用の両コンデンサの接続点に電気的に接続されている。また、回路基板１において接地用ジャンパ線２に挟まれた位置にはねじ挿通孔１１が貫設されている。さらに、回路基板１における底板３１とは反対面において長手方向の中間部には、図５に示すように２つの発熱部品Ｈが回路基板１の短手方向に沿って並べて実装されている。両発熱部品Ｈには１つの放熱板７が取りつけられている。放熱板７は、回路基板１に沿って延び両発熱部品Ｈに取りつけられた本体部７１と、回路基板１の短手方向における本体部７１の両端において回路基板１から離れる方向に突設されて互いに対向する２個の放熱片７２とからなる。
【００１８】
回路基板１は、図７に示すように、接地用ジャンパ線２の両端が突出した側の面が底板３１に対向する形でケース本体３の側板３２に挟まれた位置に収納される。図６に示すように、側板３２において、回路基板１の四隅の近くには、中間部が底板３１に沿って突出した帯状であって回路基板１を底板３１から離れた位置において支持する支持突起３４と、支持突起３４に対して底板３１から離れた側に設けられたコ字状の孔に囲まれた部分であって曲げられることにより支持突起３４との間に回路基板１を挟む押さえ突起３５と、底板の長手方向の端に近い部位が半ドーム状に突出し回路基板１の長手方向に沿った移動を規制する規制突起３６とがそれぞれ突設されている。
【００１９】
また、各側板３２において放熱板７を挟む位置には、図８に示すように各一方の放熱片７２に接触する接触部３９がそれぞれ突設されている。発熱部品Ｈの熱は放熱板７から接触部３９に伝わり、とケース本体３とを通って外部へ放出される。ここで、回路基板１がケース本体３に収納された状態において、放熱板７の放熱片７２とケース本体３の側板３２とはケース本体３の底板３１からの高さ寸法が同程度となるように形成されている。さらに、側板３２において規制突起３６よりも接触部３９に近い位置には嵌合孔３２ａが貫設されている。
【００２０】
また、底板３１の長手方向における各端部には、放電灯点灯装置を器具に取り付けるための取付孔３８がそれぞれ貫設されている。さらに、底板３１において、回路基板１の接地用ジャンパ線２に挟まれた部分に対向する部位には、ねじ孔３３ａが設けられ接地用ジャンパ線２の両端に挟まれた位置において回路基板１に接する接続片３３ｂと、それぞれ底板３１から突出し接続片３３ｂの側板３２に沿った方向における各一端に連続した支持片３３ｃとからなる帯状のブリッジ部３３が設けられている。接地用ジャンパ線２が延びた方向におけるブリッジ部３３の幅は接地用ジャンパ線２の両端の間の幅よりも小さく形成され、ブリッジ部３３の底板３１からの高さ寸法は支持突起３４の底板３１からの高さ寸法と同程度に形成されている。すなわち接地用ジャンパ線２はブリッジ部３３と交差する方向に延びかつ両端部がブリッジ部３３の両側に位置している。また、ブリッジ部３３のねじ孔３３ａには図１に示すように回路基板１のねじ挿通孔１１を貫通したねじ４が螺合し、接地用ジャンパ線２はねじ４の頭部４１と回路基板１との間に挟まれる。ここにおいて接地用ジャンパ線２とブリッジ部３３とはねじ４を介して電気的に接続される。
【００２１】
ここで、従来の放電灯点灯装置においては、図２０に示すように底板３１において取付孔３８の両側に設けた切り起こし３７によって回路基板１を支持し、回路基板１において取付穴３８に対応する位置に半円形の切り欠き１２を設けていた。本実施形態においては、取付孔３８を挟む位置よりも長手方向の中間部に近い位置において回路基板１を支持するので、上記従来構成の回路基板１において切り欠き１２を挟む部位を設ける必要がないから、スペースを有効に利用することができるとともに、回路基板１に必要な材料を減らすことができる。
【００２２】
ケース蓋５は、図９に示すように、一方向に長い矩形板状であって回路基板１においてケース本体３の底板３１から離れた側の面に対向する天板５１ａと、天板５１ａの短手方向の両端にそれぞれ垂設されて互いに対向し天板から離れるほど互いに離れるように傾斜した一対の傾斜板５１ｂと、天板５１ａの長手方向の両端からそれぞれ垂設された端板５１ｃとからなるからなる蓋部５１を備える。蓋部５１の各傾斜板５１ｂの先端からは、互いに対向する一対の挟み板５２がそれぞれ延設されている。天板５１ａの長手方向における挟み板５２の端の近くには、天板５１ａに近い側が欠けた半ドーム状の嵌合突起５７が他方の挟み板５２に近付く方向にそれぞれ突設されていて、挟み板５２がケース本体３を挟み嵌合突起５７がケース本体３の嵌合孔３２ａに嵌合することによって、ケース蓋５はケース本体３に装着される。また、図１０に示すように、傾斜板５１ｂの挟み板５２に連続する側の端において、長手方向における両端の近くの部位が内側へ半ドーム状に突出した落ち込み防止突起５４がそれぞれ設けられ、放熱板７の位置に対応する部位が内側へ半ドーム状に突出した放熱板押さえ突起５５が設けられている。放熱板押さえ突起５５は、図１１に示すように、ケースが組み立てられた状態においてケース本体３の接触部３９よりも内側に突出し、ケース本体３の底板３１から離れる方向への放熱板７の移動を規制する。
【００２３】
ケース本体３の底板３１から離れる方向への放熱板７の移動が放熱板押さえ突起５５によって規制され、回路基板１の厚さ方向のがたつきが抑えられ、回路基板１のがたつきに伴う回路基板１の位置のずれが防止されるから、放熱片７２と接触片３９との接触面積が減少することによる放熱効果の低下が防止され、また、回路基板１から離れる方向への放熱板７の移動が規制されることにより、放熱板７が取り付けられた発熱部品Ｈに力が加わることもないから、発熱部品Ｈと回路基板１との接合部に力がかかることも防ぐことができる。
【００２４】
また、回路基板１とケースとを絶縁する絶縁板７を備える。図１２に示すように絶縁板７は、ケース本体３の底板３１と回路基板１との間に位置する矩形状の底部６１と、底部６１の短手方向の一端から立設されケース本体３の一方の側板３２と回路基板１との間に位置する第１の側部６２と、底部６１の短手方向の他端から立設され底部６１との間に回路基板１を挟むように曲げられ先端が第１の側部６２に接触する第２の側部６３とからなる。底部６１には、回路基板１を支持する支持凸部６４が突設され、さらに、ケース本体３のブリッジ部３３に対応する位置にはブリッジ部避け切り欠き６５が設けられている。また、第１の側部６２と第２の側部６３とには支持突起３４と押さえ突起３５とが挿通する支持突起避け孔６６が設けられている。支持突起避け孔６６は、絶縁板６が支持突起３４に当たらないようにように一部が底部６１に跨っている。さらに、第１の側部６２においてケース本体３の接触部３９に対応する位置には接触部避け切り欠き６７が設けられ、第２の側部６３の底部６１に近い側において接触部３９に対応する位置には接触部避け孔６８が設けられ、第２の側部６３の底部６１から離れた側において接触部３９に対応する位置には接触部受け切り欠き６９が設けられている。図１３に示すように、絶縁板６が回路基板１を囲んだ状態において第２の側部６３の先部は第１の側部６２の先部と重なる。ここで、第２の側部６３が第１の側部６２と重ならない程度の長さに形成されている場合、第２の側部６３に落ち込み防止凸部５４が当たることにより第１の側部６２と第２の側部６３との間に隙間ができ絶縁不良が発生することがあるが、本実施形態においては絶縁板６が回路基板１を囲んだ状態において第２の側部６３の先部は第１の側部６２の先部と重なる程度に第２の側部６３の長さ寸法は長く形成されており、第１の側部６２と第２の側部６３との間に隙間ができないから絶縁不良が発生しない。
【００２５】
上記構成によれば、接地用ジャンパ線２はブリッジ部３３と交差する方向に延びかつ両端部がブリッジ部３３の両側に位置しているので、ねじ４を強く締め付けてもブリッジ部３３が接地用ジャンパ線２から力を受けず、回路基板１の反りや割れが発生しない。従って、ねじ４を強く締め付けることができ、接地用ジャンパ線２とケース本体３との電気的接続を確実にし、かつ回路基板１とケース本体３との機械的固定強度を高めることができる。因みに、図１６に示すブリッジ部３３の幅寸法Ｌ１はブリッジ部３３のプレス成形時における単位長さあたりの伸長率に関わらないため、ブリッジ部３３の接触部３３ｂの長さ寸法Ｌ２よりも小さくしやすい。
【００２６】
また、ブリッジ部３３の底板３１からの高さ寸法と支持突起３４の底板３１からの高さ寸法とが同程度に形成されているので、ブリッジ部３３と支持突起３４との両方によって回路基板１を支持することができ、また、回路基板１の移動がねじ４によっても規制されるから、例えばブリッジ部３３の近傍の支持突起３４や押さえ突起３５を設けなくとも回路基板１の姿勢が安定する。
【００２７】
さらに、ブリッジ部３３は底板３１の長手方向に沿って設けられているから、ブリッジ部３３を底板３１の短手方向に沿って設ける場合に比べ、側板３２に近い位置にもブリッジ部３３を設けやすい。
【００２８】
（実施形態２）
本実施形態における放電灯点灯装置は、実施形態１とは絶縁板６の形状が異なる。図１４に示すように、本実施形態に用いられる絶縁板７の第２の側部６３の底部６１に近い側において落ち込み防止凸部５４に対応する位置には突起避け孔６３ａが設けられ、第２の側部６３の底部６１から離れた側において落ち込み防止凸部５４に対応する位置には突起避け切り欠き６３ｂが設けられている。その他の構成は、実施形態１と同様である。
【００２９】
上記構成によれば、突起避け孔６３ａ及び突起避け切り欠き６３ｂが設けられていることにより、図１５に示すように第２の側部６３が落ち込み防止凸部５４に当たらないから、第１の側部６２と第２の側部６３との間に隙間ができることによる絶縁不良が発生しない。
【００３０】
【発明の効果】
請求項１の発明は、接地用ジャンパ線はブリッジ部と交差する方向に延びかつ両端部がブリッジ部の両側に位置しているので、ねじを強く締め付けてもブリッジ部が接地用ジャンパ線から力を受けず、回路基板の反りや割れが発生しない。従って、ねじを強く締め付けることができ、接地用ジャンパ線とケース本体との電気的接続を確実にし、かつ回路基板とケース本体との機械的固定強度を高めることができる。
【００３１】
請求項２の発明は、ブリッジ部は底板の長手方向に沿って設けられているから、ブリッジ部を底板の短手方向に沿って設ける場合に比べ、側板に近い位置にもブリッジ部を設けやすい。
【００３２】
請求項３の発明は、ケース本体の側板に突設された支持突起とブリッジ部とが共に回路基板を支持するから、ブリッジ部が回路基板の指示に寄与しない場合に比べ、設ける支持突起が少なくてすむ。
【００３３】
請求項４の発明は、発熱部品に取り付けられた放熱板を備え、放熱板においてケース本体の底板から離れた側の端部に当接する放熱板押さえ突起がケース蓋に突設されているので、振動によって放熱板にケース本体の底板から離れる方向への力が加わっても、放熱板が取りつけられた発熱部品と回路基板との接合部に力がかかることを防ぐことができる。
【００３４】
請求項５の発明は、絶縁板が回路基板を囲んだ状態において第２の側部の先部と第１の側部の先部とが重なる程度に第２の側部の底部からの長さ寸法は形成されているので、第２の側部が落ち込み防止凸部に当たっても第１の側部との間に隙間ができないから絶縁不良が発生しない。
【００３５】
請求項６の発明は、絶縁板の第２の側部の底部に近い側において落ち込み防止凸部に対応する位置には突起避け孔が設けられ、第２の側部の底部から離れた側において落ち込み防止凸部に対応する位置には突起避け切り欠きが設けられていることにより、第２の側部が落ち込み防止凸部に当たらないから、第１の側部と第２の側部との間に隙間ができることによる絶縁不良が発生しない。
【図面の簡単な説明】
【図１】本発明の実施形態１の要部を示す断面図である。
【図２】同上に用いられる回路基板を示す斜視図である。
【図３】同上に用いられるケース本体を示す斜視図である。
【図４】同上に用いられるケース蓋を示す斜視図である。
【図５】同上の放熱板付近を示す斜視図である。
【図６】同上に用いられるケース本体を示す図であり、（ａ）は平面図、（ｂ）は正面図である。
【図７】同上においてプリント基板がケース本体に載置された状態を示す絶縁板を含まない側面図である。
【図８】同上に用いられるケース本体における放熱板付近を示す斜視図である。
【図９】同上に用いられるケース蓋を示す図であり、（ａ）は平面図、（ｂ）は正面図、（ｃ）は側面図である。
【図１０】同上に用いられるケース蓋の要部を示す断面図である。
【図１１】同上の放熱板付近を示す絶縁板を含まない断面図である。
【図１２】同上に用いられる絶縁板を示す図であり、（ａ）は平面図、（ｂ）は正面図である。
【図１３】同上に用いられる絶縁板の形状による作用を示す説明図である。
【図１４】本発明の実施形態２に用いられる絶縁板を示す図であり、（ａ）は平面図、（ｂ）は正面図である。
【図１５】同上に用いられる絶縁板の形状による作用を示す説明図である。
【図１６】ブリッジ部を示す図であり、（ａ）は平面図、（ｂ）は側面図、（ｃ）は正面図である。
【図１７】従来例におけるケースと回路基板とを示す分解斜視図である。
【図１８】同上の要部を示す断面図である。
【図１９】ブリッジ部が割れた状態を示す平面図である。
【図２０】従来例におけるケースと回路基板とを示す分解斜視図である。
【符号の説明】
１　回路基板
２　接地用ジャンパ線
３　ケース本体
３１　底板
３２　側板
３３　ブリッジ部
３４　支持突起
３５　押さえ突起
３６　規制突起
４　ねじ
４１　頭部
５　ケース蓋
５１　蓋部
５２　挟み板
５４　落ち込み防止凸部
５５　放熱板押さえ突起
６　絶縁板
６１　底部
６２　第１の側部
６３　第２の側部
６３ａ　突起避け孔
６３ｂ　突起避け切り欠き
７　放熱板
【図１】
2004022310.tif 000003
【図２】
2004022310.tif 000004
【図３】
2004022310.tif 000005
【図４】
2004022310.tif 000006
【図５】
2004022310.tif 000007
【図６】
2004022310.tif 000008
【図７】
2004022310.tif 000009
【図８】
2004022310.tif 000010
【図９】
2004022310.tif 000011
【図１０】
2004022310.tif 000012
【図１１】
2004022310.tif 000013
【図１２】
2004022310.tif 000014
【図１３】
2004022310.tif 000015
【図１４】
2004022310.tif 000016
【図１５】
2004022310.tif 000017
【図１６】
2004022310.tif 000018
【図１７】
2004022310.tif 000019
【図１８】
2004022310.tif 000020
【図１９】
2004022310.tif 000021
【図２０】
2004022310.tif 000022